(57)【要約】      （修正有）【課題】メッキがネジ溝に入ったり、打痕によりネジ溝が変形したり、ネジ部追加工によってバリが生じたボルト等のネジ溝部分の成形が、手作業によることなく効率良く行われるようにするネジ溝整形具及びネジ溝整形機を提供する。【解決手段】ネジ溝整形具１は、一端部において開口１２する筒穴７が内部に設けられ他端部を回転駆動部への連結部９とする本体部２の筒穴７内に、ネジ穴が設けられたネジ溝整形部３が設けられてなる。ネジ溝整形機は、ネジ溝整形具１を備える。【選択図】図２
0003198755.tif 000002
【実用新案登録請求の範囲】
【請求項１】
一端部において開口する筒穴が内部に設けられ他端部を回転駆動部への連結部とする本体部の前記筒穴内に、ネジ穴が設けられたネジ溝整形部が設けられてなることを特徴とするネジ溝整形具。
【請求項２】
一端部において開口する筒穴が内部に設けられ、他端部を回転駆動部への連結部とする本体部と、
ネジ穴が設けられたネジ溝整形体とからなり、
前記ネジ溝整形体が前記本体部の前記筒穴の内に、前記筒穴に対して非回転状態に設けられてなることを特徴とするネジ溝整形具。
【請求項３】
前記ネジ溝整形体が、前記筒穴内に径方向において位置調整変位可能に設けられてなる請求項２記載のネジ溝整形具。
【請求項４】
前記ネジ溝整形体が、前記筒穴内に軸方向において変位可能に設けられてなる請求項２記載のネジ溝整形具。
【請求項５】
請求項１、２、３または４記載のネジ溝整形具と、前記回転駆動部を備える機器本体とからなることを特徴とするネジ溝成形機。
【考案の詳細な説明】
【技術分野】
【０００１】  この考案は、ボルト等のネジ溝整形具及びネジ溝整形機に関する。
【背景技術】
【０００２】  例えば、ボルトの表面に防錆のためメッキ処理が行われた場合、メッキ材料がネジ溝に入り込みボルトがスムーズにネジ込み使用できない場合がある。したがって、メッキ処理を行ったボルトは手作業によりネジ溝の成形作業を行う場合が多い。また、打痕によりネジ溝が変形した場合や、ネジ部追加工によってバリが生じた場合にもネジ溝の整形作業が必要となる。従来におけるネジ溝の整形は手作業により行っており、作業効率が悪く、多数本のボルトのネジ溝の成形作業には多大な時間を要した。
【考案の概要】
【考案が解決しようとする課題】
【０００３】  この考案は上記の事情に鑑みて行ったもので、ネジ溝の成形が手作業によることなく効率よく行われるようにする。
【課題を解決するための手段】
【０００４】  請求項１の考案は、一端部において開口する筒穴が内部に設けられ他端部を回転駆動部への連結部とする本体部の前記筒穴内に、ネジ穴が設けられたネジ溝整形部が設けられてなることを特徴とするネジ溝整形具を提供する。請求項２の考案は、一端部において開口する筒穴が内部に設けられ、他端部を回転駆動部への連結部とする本体部と、ネジ穴が設けられたネジ溝整形体とからなり、前記ネジ溝整形体が前記本体部の前記筒穴の内に、前記筒穴に対して非回転状態に設けられてなることを特徴とするネジ溝整形具を提供する。【０００５】  上記それぞれの考案によれば、本体部の筒穴内にメッキ処理されたボルトが差し入れられてネジ溝整形具が回転されると、ボルトのネジ部がネジ溝整形部のネジ穴に螺入することでネジ溝に付着するメッキ材料が除去されてネジ溝が整形される。請求項２の考案において、ネジ溝整形体が、筒穴内に径方向において位置調整変位可能に設けられ、軸方向において変位可能に設けられることで、作業の開始時におけるネジ溝整形体へのボルトの位置合わせが容易になされる。【０００６】  請求項５の考案は、上記それぞれの考案のネジ溝整形具と、その回転駆動部を備える機器本体とからなることを特徴とするネジ溝成形機を提供する。【０００７】  上記請求項５の考案によれば、本体部の筒穴内にメッキ処理されたボルトが差し入れられてネジ溝整形具が回転されると、ボルトのネジ部がネジ溝整形部もしくはネジ溝整形体のネジ穴に螺入することでネジ溝に付着するメッキ材料が除去されてネジ溝が整形される。
【考案の効果】
【０００８】  この考案によれば、ネジ溝の成形が手作業によることなく効率よく行われるようになる。
【図面の簡単な説明】
【０００９】
【図１】請求項１及び請求項２の考案のネジ溝整形具の実施形態の外観斜視図
【図２】請求項１及び請求項２の考案のネジ溝整形具の実施形態の断面構成図
【図３】請求項５の考案のネジ溝整形機の実施形態の構成図
【図４】ネジ溝整形の動作説明図
【図５】ネジ溝整形の動作説明図
【考案の実施形態】
【００１０】  図１は請求項１、２の考案のネジ溝整形具１の斜視図、図２は同断面図である。ネジ溝整形具１は、全体がステンレス製で、本体部２とその内部に装着されるナット部材（ネジ溝整形部、ネジ溝整形体）３とから構成される。本体部２は筒体５とその前端に装着されるキャップ体６と後端に取り付けられる連動軸（連結部）９とからなる。筒体５内部には前端側に太径で断面形状が正六角形である筒穴７が設けられ、その奥側に細径で断面形状が円形である筒穴８が連続して設けられている。キャップ体６は環状で、筒体５の前端に嵌合されてネジ１０により固定されて取り付けられている。キャップ体６は前面に円形穴１２を備え、その円形穴１２の径が筒体５の筒穴７の径より小さく、これにより円形穴１２の周縁部１４が筒穴７の周縁より少し筒穴７の中心側に突出して位置している。連動軸９は角柱形態で、筒体５の後端に嵌合固定されている。
【００１１】  ナット部材３は正六角形状で筒体５の筒穴７内に嵌入装着されており、これにより、筒穴７に対して非回転状態に設けられ、すなわち、ナット部材３は筒体５と一体に回転する。また、ナット部材３の外径は筒穴７の径より若干小さいことでナット部材３の周面と筒穴７の内面間にはクリアランス１５が保たれ、これによりナット部材３は筒穴７内においてその径方向において位置調整変位可能に設けられ、かつ、軸方向において移動変位可能なように設けられている。さらに、ナット部材３の外径はキャップ体６の円形穴１２の径より若干大きく、これにより円形穴１２の周縁部１４に係止することでキャップ体６が筒穴７内から前方に離脱することがない。
【００１２】  図３は上記ネジ溝整形具１が装着使用される請求項４の考案のネジ溝整形機の構成を示す。ネジ溝整形機２０はケーシング２１内に駆動モータ２２と駆動モータ２２により回転される作動軸２４とを備え、ケーシング２１面から突出する作動軸２４の端部にネジ溝整形具１の連動軸１５が嵌入連結固定されて構成されている。駆動モータ２２は上方に突出する駆動軸２６の上部に円形の回転駆動ローラー２８を備える。作動軸２４には一対の円盤状の回転プレート３０ａ、３０ｂが装着され、上記回転駆動ローラー２８は回転プレート３０ａ、３０ｂの間の下部に水平に位置する。作動軸２４はその基部にバネ体３２が装着され、このバネ体３２に力が及ばない状態において回転駆動ローラー２８は回転プレート３０ａ、３０ｂの中間に位置し、回転駆動ローラー２８と回転プレート３０ａ、３０ｂとは互いに接触しない。作動軸２４が軸方向に変位することで回転駆動ローラー２８の縁部がいずれかの回転プレート３０ａ、３０ｂの周縁面と接触し、この状態において回転駆動ローラー２８が回転することで回転プレート３０ａ、３０ｂの何れかが回転して作動軸２４が回転する。
【００１３】  上記ネジ溝整形機２０によるボルトのネジ溝の整形動作を説明する。図４はボルト３０の頭部３２を持ってそのネジ部３３の先端をネジ溝整形具１の円形穴１２の内側に位置するナット部材３のネジ穴に合わせた状態を示す。この状態においては回転駆動ローラー２８と回転プレート３０ａ、３０ｂとは図３に示す状態にある。また、駆動モータ２２が作動して回転駆動ローラー２８は予め回転状態にある。次に、図４に示す状態からボルト３０をネジ溝整形具１内に差し込んでいくことで、そのボルト３０の先端で押されてナット部材３は筒穴７の奥方に進み奥部に係止して止まる。この状態においてさらに力をかけてボルト３０をバネ体３２のバネ力に抗して押し込むことでナット部材３がボルト３０の先端で押されネジ溝整形具１は後退し、その連動軸９に連結される作動軸２４も後退する。これにより前側の回転プレート３０ａが回転駆動ローラー２８に接触して作動軸２４が回転してネジ溝整形具１が回転する。その結果、内部のナット部材３が回転することでナット部材３のネジ穴にボルト３０のネジ部３３が螺入し、ネジ溝３１に付着するメッキ材料が除去されてネジ溝３１が整形される。
【００１４】  図５はナット部材３のネジ穴にボルト３０のネジ部３３が一杯まで螺入された状態を示す。この状態でボルト３０の押し込みを止めると作動軸２４はバネ体３２のバネ力により前方に移動し、これに伴って回転プレート３０ａが回転駆動ローラー２８から外れる。次にボルト３０を手前側に引くとボルト３０は螺着されたナット部材３とともに前方に移動し、ナット部材３がキャップ体６の円形穴１２の周縁部１４の内側に係止する。
【００１５】  さらにボルト３０をバネ体３２のバネ力に抗して手前側に引くとナット部材３とともにネジ溝整形具１は前方に移動し、それに伴い作動軸２４も前進する。これにより後部の回転プレート３０ｂが回転駆動ローラー２８に接触して作動軸２４が回転してネジ溝整形具１が回転する。その結果、内部のナット部材３が回転することでナット部材３のネジ穴からボルト３０のネジ部３３が外れ、ボルト３０がネジ溝整形具１内から取り出される。ボルト３０からナット部材３が外れることでネジ溝整形具１はバネ体３２のバネ力により後方に移動し、これに伴って回転プレート３０ｂが回転駆動ローラー２８から外れる。ナット部材３はネジ溝整形具１の円形穴１２の内側に残る。
【００１６】  上記において、ボルト３０の差し込み時と引き抜き時における駆動モータ２２の回転方向は同じであるが、回転駆動ローラー２８が回転駆動ローラー３０ａ、３０ｂの異なる側の面に接触回転することで作動軸２４はボルト３０の差し込み時と引き抜き時とにおいて逆方向に回転し、これに伴いネジ溝整形具１も逆方向に回転する。
【００１７】  上記のようにして、ボルト３０を持ってネジ溝整形具１内に差し込み、引き抜くことでボルト３０のネジ溝３１の整形が容易に行える。とくに、作業の開始時におけるナット部材３へのボルト３０の位置合わせが、ナット部材３が筒穴７内においてその径方向において位置調整変位可能に設けられ、かつ、軸方向において移動変位可能なように設けられていることで容易になされる。すなわち、ボルト３０のネジ部３３の先端をネジ溝整形具１の円形穴１２の内側に位置するナット部材３のネジ穴にほぼ合わせた状態としてボルト３０をネジ溝整形具１内に差し込んでいくと、ナット部材３が後方に移動する際に筒穴７内においてクリアランス１５があることで傾斜するとともに径方向において変位し、これによりボルト３０の端部がナット部材３のネジ穴に導かれてその位置合わせがなされる。これにより、ボルト３０をネジ溝整形具１の円形穴１２の中心に差し込めば、ボルト３０のナット部材３へとの位置合わせが行われて作業が容易になされる。
【符号の説明】
【００１８】１    ネジ溝整形具
２    本体部
３    ナット部材（ネジ溝整形部、ネジ溝整形体）
７    筒穴
９    連動軸（連結部）
１２  円形開口（開口）
２０  ネジ溝整形機
【図１】
0003198755.tif 000003
【図２】
0003198755.tif 000004
【図３】
0003198755.tif 000005
【図４】
0003198755.tif 000006
【図５】
0003198755.tif 000007